(57)【特許請求の範囲】
【請求項１】
下面が開口するヘッドレール（１０）に設けられたドラムケース（１１）と、前記ドラムケースに回転自在に収容された巻取りドラム（１）と、前記ドラムケースの底穴（１３）から先端がその内部に通される昇降コード（２０）と、前記巻取りドラムの一側の周面から半径方向に突出する固定用リブ（４）と、前記固定用リブの半径方向外周面から半径方向内方に切り込まれたスリット（５）とからなり、前記昇降コードの先端に形成した結び目（２１）を前記スリット（５）に脱着可能に掛け止めすることを特徴とする昇降コードの巻取りドラムへの連結機構。
【請求項２】
前記巻取りドラムの一側の周面から前記固定用リブとは周方向に離間して放射状に突出する案内用リブ（６）を設け、前記案内用リブの軸方向他側角部を斜めに切除して斜面（８）を形成したことを特徴とする請求項１記載の昇降コードの巻取りドラムへの連結機構。
【請求項３】
前記スリット（５）の両側の半径方向外周部分を周方向両側に延長して円弧状のフック（７）に形成したことを特徴とする請求項１又は２に記載の昇降コードの巻取りドラムへの連結機構。
【請求項４】
前記ドラムケース（１１）に前記固定リブ（４）の回転外周面に沿う円弧状内周面（１２）を設け、前記内周面の最下位置に前記底穴（１３）から軸方向に最下位置にきた前記スリット（５）と垂直方向に重なる位置まで入り込む仮止め溝（１４）を設けたことを特徴とする請求項１ないし３のいずれか１つに記載の昇降コードの巻取りドラムへの連結機構。
【発明の詳細な説明】
【０００１】
【発明の属する技術分野】
本発明は、たくし上げカーテン等の昇降コード巻取り装置の巻取りドラムに昇降コードを連結する機構に関する。
【０００２】
【従来の技術】
たくし上げカーテンの昇降コード巻取り装置において、巻取りドラムにフランジを設け、そのフランジに軸方向の挿通孔をあけ、その挿通孔に昇降コードの一端を通し、その昇降コードの一端に結び目を設けて昇降コードを巻取りドラムに連結する機構は、実公平５−９８８９により公知である。
【０００３】
【発明が解決しようとする課題】
たくし上げカーテンのスクリーンをクリーニングするとき、スクリーンはヘッドレールから外してクリーニングされ、再びヘッドレールに取り付けられる。このとき、公知の機構は、ヘッドレール内において、巻取りドラムのフランジの挿通孔に通した昇降コード端部の結び目を解くことは困難であるから、すなわち、昇降コードと巻取りドラムの連結を解除することが容易ではないから、昇降コードをヘッドレール側に残してスクリーンを外さなくてはならなかった。このため、スクリーンを外すときは、スクリーンに設けた複数のリングから昇降コードを抜き、スクリーンを再び取り付けるときは昇降コードをその複数のリングに通さなければならなかった。この昇降コードを複数のリングに通すことは非常に手間のかかる厄介な作業であった。
【０００４】
本発明はこの問題を解決するためになされたものであり、その目的とするところは、昇降コードをスクリーンに付けたままスクリーンをヘッドレールから外すことが可能な、すなわち昇降コードをヘッドレールの巻取りドラムから容易に外すことも取り付けることも可能な昇降コードと巻取りドラムの連結機構を提供することにある。
【０００５】
【課題を解決するための手段】
前記目的を達成するため、本発明が採用する手段は、巻取りドラムの周面に固定用リブを設け、そのリブの半径方向外側から半径方向内方へスリットを切り込み、そのスリットに昇降コードの一端に形成した結び目を掛け止めするようにしたことにある。
【０００６】
昇降コードの結び目は巻取りドラムを収容するドラムケースの大きな底穴から挿入するが、ドラムケースに回転する固定用リブの先端に沿う円弧状の内周面を設け、その内周面の最下位置に底穴と連通し、軸方向の奥が最下位置にきたスリットと上下に重なる仮止め溝を設けると、その仮止め溝に昇降コード一端の結び目を掛けて巻取りドラムを回すだけで、昇降コードの一端を巻取りドラムに連結することができる。
【０００７】
固定用リブと同じ巻取りドラムの周面に案内用リブを設け、その案内用リブの軸方向他側角部を斜めに切除して案内用リブが軸方向他側へ先細りになるように傾斜させると、固定用リブに掛け止めされた昇降コードは自動的に巻取りドラムの巻取り面に巻かれ、巻取られる昇降コードは仮止め溝から出てドラム巻取り面の下の底孔へ移行する。
【０００８】
【発明の実施の形態】
本発明の機構を図面に示す実施例に基づいて説明する。
図１及び図３に示すように、本発明の巻取りドラム１の両側にはフランジ２、３が一体に形成され、一方のフランジ３の内面に沿って１つの固定用リブ４と３つの案内用リブ６が巻取りドラム１の一側周面から十字方向に延長する。固定用リブ４は軸方向の中央に半径方向外側から切り込むスリット５を有し、そのスリット５の半径方向外端部両側には円弧状のフック７が一体に形成される。巻取りドラム１の巻取り面１５は固定及び案内用リブ４、６と他側のフランジ３の間の周面である。案内用リブ６は軸方向一側端面においてフランジ３と一体に接続し、軸方向他側端面の角部は斜めに切除されて斜面８を形成する。この斜面８により案内用リブ６は軸方向他側へ先細りとなる。
【０００９】
図２及び図３に示すように、巻取りドラム１は回転軸９に一体回転するように外嵌されて、ヘッドレール１０に固定されるドラムケース１１に収容される。ドラムケース１１に固定用リブ４の回転外周面に沿う内周面１２を設ける。その内周面１２は軸方向の内周縁においてドラムケース１１の底穴１３と交差する。底穴１３から軸方向に内周面１２の底面中央を通る仮止め溝１４をドラムケース１１に設ける。仮止め溝１４の軸方向の深さは、固定用リブ４が内周面１２の底面中央にきたとき、仮止め溝１４の奥と固定用リブ４のスリット５が上下に重なるように設定する。
【００１０】
図２及び図４（ａ）に示すように、先端に結び目２１を形成した昇降コード２０をドラムケース１１の底穴１３から仮止め溝１４に入れ、結び目２１をドラムケース１１の内周面１２に掛ける。固定用リブ４のスリット５及びドラムケース１１の仮止め溝１４の内幅は昇降コード２０の直径に略等しいが、結び目２１はスリット５と仮止め溝１４の内幅よりも大きい。
【００１１】
次に、回転軸９を図４（ａ）の矢印方向に回すと、図４（ｂ）に示すように、仮止め溝１４から突出する昇降コード２０は結び目２１が回転して最下位置にきた固定用リブ４のスリットの両側のフック７にすくい上げられ、その下の部分はスリットにはまり込む。
さらに回転すると、図４（ｃ）に示すように、固定用リブ４は最下位置から再び上昇し、昇降コード２０の先端部分を結び目２１と共に巻き込み、昇降コード２０を仮止め溝１４から引き上げていく。仮止め溝１４から引き上げられた昇降コード２０の先端に続く部分は案内用リブ６の斜面８に掛かるため、軸方向巻取り面側に滑り、巻取りドラム１の巻取り面へ押し出される。
【００１２】
図３及び図４（ｄ）に示すように、固定用リブ４のスリット５に先端の結び目２１が連結された昇降コード２０は、順次、巻取りドラム１の２つのフランジ２、３の間の巻取り面に巻かれていく。下から巻き上げられる昇降コード２０は仮止め溝１４から外れ、ドラムケース１１の底穴１３へ移る。
巻取りドラム１に連結したこの昇降コード２０を再び巻取りドラムから外すときは、回転軸９を逆転して巻取りドラム１が裸になるまで巻き戻す。図３（ａ）に示すように、固定用リブ４が最下位置を過ぎると、結び目２１は、固定用リブ４のスリット６から外れる。このとき、回転軸９を停止し、昇降コード２０の先端をドラムケース１１の底穴の方へ引くと、昇降コード２０はドラムケース１１の仮止め溝１４から外れて自由になる。
【００１３】
このように、昇降コード２０の巻取りドラム１への連結は、先端の結び目２１を巻取りドラム１に一体に形成した固定用リブ４のスリット５に掛けるだけであり、その連結の解除は、掛けた結び目２１をスリット５から外すだけであるから、昇降コード２０はスクリーンに添着したままで、容易に巻取りドラム１に連結することも、巻取りドラム１から外すこともできる。
【００１４】
さらに、巻取りドラム１を収容するドラムケース１１に結び目２１を固定用リブ４のスリット５が通る位置に仮止めする仮止め溝１４を設けると、結び目２１を直接手で固定用リブ４のスリット５に掛けなくても、回転軸９を回すだけで、結び目２１をスリット５に掛けることができる。
【００１５】
【発明の効果】
上記のとおり、本発明の連結機構は、昇降コードをスクリーンのリングから抜かないと、スクリーンをヘッドレールから外すことができなかったものとは異なり、スクリーンを昇降コードと共にヘッドレールから外すことが可能であるから、スクリーンを洗濯等のためにヘッドレールから外すときに、スクリーンのリングに昇降コードを通したり抜いたりする必要がなくなるという優れた効果を奏する。
【図面の簡単な説明】
【図１】本発明の一実施例の機構を備えた巻取りドラムの斜視図、
【図２】図１の巻取りドラムを備えたたくし上げカーテンの要部の斜視図であり、昇降コードを巻取りドラムに巻き上げる前の状態を示す。
【図３】図２のたくし上げカーテンの要部の部分切欠き正面図であり、昇降コードを巻取りドラムに巻き上げた状態を示す。
【図４】昇降コードを巻取りドラムに連結する工程を示す断面図であり、
（ａ）は昇降コードの結び目を掛け止めする直前の状態を、
（ｂ）は掛け止め直後の状態を、
（ｃ）は昇降コードを巻き上げる直前の状態を、
（ｄ）は昇降コードを巻き上げる状態をそれぞれ示す。
【符号の説明】
１：巻取りドラム
２、３：フランジ
４：固定用リブ
５：スリット
６：案内用リブ
７：フック
８：斜面
９：回転軸
１０：ヘッドレール
１１：ドラムケース
１２：内周面
１３：底穴
１４：仮止め溝
１５：巻取り面
２０：昇降コード
２１：結び目
【図１】
0003777586.tif 000002
【図２】
0003777586.tif 000003
【図３】
0003777586.tif 000004
【図４】
0003777586.tif 000005